(57)【要約】【課題】本発明は、摂取時における水素濃度の高い水素含有飲料を容易かつ確実に製造することができる水素ガス供給ユニットの提供を課題とする。【解決手段】本発明に係る水素ガス供給ユニットは、内部に水素ガスが収容され、この水素ガスを放出可能な放出部を有する携帯型水素ガス供給容器と、飲料容器の口部に嵌合され、放出部と着脱自在に連結される蓋体とを備え、放出部が、蓋体と嵌合される第１連結部と、基端側がケーシング内に配設されると共に先端が露出する水素ガス放出ノズルと、水素ガス放出ノズルの基端側に当接する第１バルブとを有し、蓋体が、第１連結部と嵌合される第２連結部と、基端側がケーシング内に配設されると共に先端が露出する水素ガス吸引ノズルと、水素ガス吸引ノズルの基端側に当接する第２バルブと、水素ガス吸引ノズル及び第２バルブを水素ガス吸引ノズルの先端側に付勢するバネ部材とを有する。【選択図】図５
2019128006.tif 000002
【特許請求の範囲】
【請求項１】
筒状の口部を有する飲料容器に収容された飲料中に水素ガスを供給する水素ガス供給ユニットであって、
内部に水素ガスが収容され、この水素ガスを放出可能な放出部を有する携帯型水素ガス供給容器と、
上記飲料容器の口部に嵌合され、上記放出部と着脱自在に連結される蓋体と
を備え、
上記放出部が、上記蓋体と嵌合される第１連結部を有するケーシングと、基端側が上記ケーシング内に配設されると共に先端が露出する水素ガス放出ノズルと、上記水素ガス放出ノズルの基端側に当接する第１バルブとを有し、
上記蓋体が、上記第１連結部と嵌合される第２連結部を有するケーシングと、基端側が上記ケーシング内に配設されると共に先端が露出する水素ガス吸引ノズルと、上記水素ガス吸引ノズルの基端側に当接する第２バルブと、上記水素ガス吸引ノズル及び第２バルブを上記水素ガス吸引ノズルの先端側に付勢するバネ部材とを有し、
上記第１連結部及び第２連結部の嵌合状態で上記水素ガス放出ノズル及び水素ガス吸引ノズルの先端同士が突き合わされ、上記水素ガス放出ノズル及び水素ガス吸引ノズルが互いに基端側に押圧されることで上記携帯型水素ガス供給容器及び飲料容器が連通し、上記水素ガスが飲料容器内に注入される水素ガス供給ユニット。
【請求項２】
水素ガス貯留タンクに貯留される水素ガスを上記携帯型水素ガス供給容器に充填するための水素ガス充填用コネクタをさらに備え、
上記水素ガス充填用コネクタが、
上記第１連結部に嵌合される第３連結部と、
上記第１連結部及び第３連結部の嵌合状態で上記水素ガス放出ノズルと先端同士が突き合わされ、上記水素ガス放出ノズルを押圧可能な水素ガス充填ノズルと
を有する請求項１に記載の水素ガス供給ユニット。
【請求項３】
上記第１連結部が筒状であり、上記第２連結部が上記第１連結部に外嵌可能な筒状であり、上記第３連結部が上記第１連結部に内嵌可能な筒状である請求項２に記載の水素ガス供給ユニット。
【請求項４】
上記第１連結部の外周面に防滑用のＯリングが設けられ、上記第１連結部の内周面に雌ネジが設けられ、上記第３連結部の外周面に上記雌ネジと螺合可能な雄ネジが設けられる請求項３に記載の水素ガス供給ユニット。
【請求項５】
上記水素ガス放出ノズルの先端が上記第１連結部内に突出し、上記水素ガス吸引ノズルの先端が上記第２連結部内に突出し、上記水素ガス充填ノズルの先端が上記第３連結部の先端側から突出する請求項３又は請求項４に記載の水素ガス供給ユニット。
【発明の詳細な説明】
【技術分野】
【０００１】
本発明は、水素ガス供給ユニットに関する。
【背景技術】
【０００２】
飲料水として、水に水素ガスを溶解させた水素水が普及している。水素水は、体内に取り込まれると還元力によって体内の活性酸素を除去することができ、アンチエイジング効果があるといわれている。
【０００３】
今日、この水素水は、水に水素ガスを溶解させたものを製造工場で飲料容器に充填して販売されている。この水素水の製造装置としては、例えば特開２００５−１７７７２４号公報に記載の装置が発案されている。
【先行技術文献】
【特許文献】
【０００４】
【特許文献１】特開２００５−１７７７２４号公報
【発明の概要】
【発明が解決しようとする課題】
【０００５】
しかしながら、水に溶解した水素ガスは脱気しやすい。そのため、製造工場で製造した時点で適度な水素濃度を有していた場合でも、輸送中、保管中等に水素ガスの脱気が進み、購入者が摂取する際には水素濃度が極めて低くなっていたり、水素が完全に失われていたりすることが多い。
【０００６】
その結果、従来の方法で製造された水素水によっては、体内の活性酸素を除去し難く、所望の効果を得難い。
【０００７】
本発明は、このような事情に基づいてなされたものであり、摂取時における水素濃度の高い水素含有飲料を容易かつ確実に製造することができる水素ガス供給ユニットを提供することを課題とする。
【課題を解決するための手段】
【０００８】
上記課題を解決するためになされた本発明に係る水素ガス供給ユニットは、筒状の口部を有する飲料容器に収容された飲料中に水素ガスを供給する水素ガス供給ユニットであって、内部に水素ガスが収容され、この水素ガスを放出可能な放出部を有する携帯型水素ガス供給容器と、上記飲料容器の口部に嵌合され、上記放出部と着脱自在に連結される蓋体とを備え、上記放出部が、上記蓋体と嵌合される第１連結部を有するケーシングと、基端側が上記ケーシング内に配設されると共に先端が露出する水素ガス放出ノズルと、上記水素ガス放出ノズルの基端側に当接する第１バルブとを有し、上記蓋体が、上記第１連結部と嵌合される第２連結部を有するケーシングと、基端側が上記ケーシング内に配設されると共に先端が露出する水素ガス吸引ノズルと、上記水素ガス吸引ノズルの基端側に当接する第２バルブと、上記水素ガス吸引ノズル及び第２バルブを上記水素ガス吸引ノズルの先端側に付勢するバネ部材とを有し、上記第１連結部及び第２連結部の嵌合状態で上記水素ガス放出ノズル及び水素ガス吸引ノズルの先端同士が突き合わされ、上記水素ガス放出ノズル及び水素ガス吸引ノズルが互いに基端側に押圧されることで上記携帯型水素ガス供給容器及び飲料容器が連通し、上記水素ガスが飲料容器内に注入される。
【０００９】
当該水素ガス供給ユニットは、内部に水素ガスが収容される携帯型水素ガス供給容器と、飲料容器の口部に嵌合され、上記携帯型水素ガス供給容器の放出部と着脱自在に連結される蓋体とを備えるので、使用者が摂取直前に飲料中に水素ガスを注入することができる。そのため、当該水素ガス供給ユニットによると、製造から摂取までの間における水素ガスの脱気を抑えることができるので、摂取時における水素濃度の高い水素含有飲料を製造することができる。
【００１０】
当該水素ガス供給ユニットは、上記蓋体を飲料容器の口部に嵌合し、この蓋体によって飲料容器を密閉したうえ、上記放出部及び蓋体を直接連結することで上記携帯型水素ガス供給容器内の水素ガスを飲料容器内に注入するものであるため、ユニット全体の部品点数を抑え、小型化を図ることができると共に、水素含有飲料を容易かつ確実に製造することができる。
【００１１】
当該水素ガス供給ユニットは、水素ガス貯留タンクに貯留される水素ガスを上記携帯型水素ガス供給容器に充填するための水素ガス充填用コネクタをさらに備え、上記水素ガス充填用コネクタが、上記第１連結部に嵌合される第３連結部と、上記第１連結部及び第３連結部の嵌合状態で上記水素ガス放出ノズルと先端同士が突き合わされ、上記水素ガス放出ノズルを押圧可能な水素ガス充填ノズルとを有するとよい。このように、水素ガス貯留タンクに貯留される水素ガスを上記携帯型水素ガス供給容器に充填するための水素ガス充填用コネクタをさらに備え、上記水素ガス充填用コネクタが、上記第１連結部に嵌合される第３連結部と、上記第１連結部及び第３連結部の嵌合状態で上記水素ガス放出ノズルと先端同士が突き合わされ、上記水素ガス放出ノズルを押圧可能な水素ガス充填ノズルとを有することによって、上記携帯型水素ガス供給容器内の水素ガスが不足した場合に、上記水素ガス充填用コネクタを介して上記携帯型水素ガス供給容器内に水素ガスを容易かつ確実に充填することができる。
【００１２】
上記第１連結部が筒状であり、上記第２連結部が上記第１連結部に外嵌可能な筒状であり、上記第３連結部が上記第１連結部に内嵌可能な筒状であるとよい。このように、上記第１連結部が筒状であり、上記第２連結部が上記第１連結部に外嵌可能な筒状であり、上記第３連結部が上記第１連結部に内嵌可能な筒状であることによって、上記携帯型水素ガス供給容器と上記蓋部、及び上記携帯型水素ガス供給容器と上記水素ガス充填用コネクタとをそれぞれ独立した嵌合機構で容易かつ確実に嵌合することができる。
【００１３】
上記第１連結部の外周面に防滑用のＯリングが設けられ、上記第１連結部の内周面に雌ネジが設けられ、上記第３連結部の外周面に上記雌ネジと螺合可能な雄ネジが設けられるとよい。このように、上記第１連結部の外周面に防滑用のＯリングが設けられることで、上記飲料容器内に水素ガスを注入する際の上記第１連結部及び第２連結部の嵌合状態を維持しやすく、水素ガス漏れを抑制することができると共に、例えば作業者が上記第１連結部及び第２連結部の嵌合を解除する方向に引っ張ることで、上記第１連結部及び第２連結部の嵌合を容易に解除することができる。また、上記第１連結部の内周面に雌ネジが設けられ、上記第３連結部の外周面に上記雌ネジと螺合可能な雄ネジが設けられることによって、上記第１連結部及び第３連結部を容易かつ確実に嵌合固定することができ、上記携帯型水素ガス供給容器内に十分な量の水素ガスを容易かつ確実に充填することができる。
【００１４】
上記水素ガス放出ノズルの先端が上記第１連結部内に突出し、上記水素ガス吸引ノズルの先端が上記第２連結部内に突出し、上記水素ガス充填ノズルの先端が上記第３連結部の先端側から突出するとよい。このように、上記水素ガス放出ノズルの先端が上記第１連結部内に突出し、上記水素ガス吸引ノズルの先端が上記第２連結部内に突出し、上記水素ガス充填ノズルの先端が上記第３連結部の先端側から突出することによって、第１連結部と第２連結部との嵌合時に上記水素ガス放出ノズル及び水素ガス吸引ノズルの先端同士を容易かつ確実に突き合わせ、かつ第１連結部と第３連結部との嵌合時に上記水素ガス放出ノズル及び水素ガス充填ノズルの先端同士を容易かつ確実に突き合わせることができる。これによって、上記飲料容器内への水素ガスの注入時、及び上記携帯型水素ガス供給容器内への水素ガスの充填時における水素ガスの漏洩を容易かつ確実に抑制することができる。
【発明の効果】
【００１５】
本発明に係る水素ガス供給ユニットは、摂取時における水素濃度の高い水素含有飲料を容易かつ確実に製造することができる。
【図面の簡単な説明】
【００１６】
【図１】本発明の一実施形態に係る水素ガス供給ユニットの携帯型水素ガス供給容器を示す模式的斜視図である。
【図２】図１の携帯型水素ガス供給容器の放出部の模式的断面図である。
【図３】本発明の一実施形態に係る水素ガス供給ユニットの蓋体を示す模式的斜視図である。
【図４】図３の蓋体の模式的断面図である。
【図５】図２の放出部及び図３蓋体の連結状態を示す模式的断面図である。
【図６】本発明の一実施形態に係る水素ガス供給ユニットの水素ガス充填用コネクタを示す模式的断面図である。
【発明を実施するための形態】
【００１７】
以下、図１〜図６を参照しつつ、本発明の実施の形態を詳説する。
【００１８】
［水素ガス供給ユニット］
当該水素ガス供給ユニットは、筒状の口部Ｘ１を有する飲料容器Ｘに収容された飲料中に水素ガスを供給する。当該水素ガス供給ユニットは、内部に水素ガスが収容され、この水素ガスを放出可能な放出部２を有する携帯型水素ガス供給容器１と、飲料容器Ｘの口部Ｘ１に嵌合され、放出部２と着脱自在に連結される蓋体２１とを備える。また、当該水素ガス供給ユニットは、水素ガス貯留タンク（不図示）に貯留される水素ガスを携帯型水素ガス供給容器１に充填するための水素ガス充填用コネクタ３１を備える。
【００１９】
当該水素ガス供給ユニットの使用方法の一例について説明する。使用者は、携帯型水素ガス供給容器１及び蓋体２１を持ち運び、飲料容器Ｘに収容された飲料を摂取する直前に飲料容器Ｘの口部Ｘ１に蓋体２１を嵌合し、さらに携帯型水素ガス供給容器１及び蓋体２１を連結することで携帯型水素ガス供給容器１内の水素ガスを飲料容器Ｘ内に注入する。使用者は、携帯型水素ガス供給容器１及び蓋体２１の連結を解除することで水素ガスの注入を終了し、蓋体２１を口部Ｘ１から取り外した後に、飲料容器Ｘに収容された水素含有飲料を摂取する。また、使用者は、携帯型水素ガス供給容器１内の水素ガスが少なくなると、別途設けられた水素ガス貯留タンク（不図示）から携帯型水素ガス供給容器１内に水素ガスを充填する。この水素ガスの充填は、水素ガス貯留タンクの水素ガス放出用チューブ（不図示）等に水素ガス充填用コネクタ３１を接続した状態で、この水素ガス充填用コネクタ３１と携帯型水素ガス供給容器１とを連結することで水素ガス充填用コネクタ３１を介して行う。
【００２０】
（飲料容器）
飲料容器Ｘとしては、例えばペットボトルやアルミ缶、スチール缶、瓶等が挙げられ、口部Ｘ１の外周に雄ネジが設けられたものが好ましく用いられる。また、飲料容器Ｘに収容される飲料としては、例えば水が挙げられる。
【００２１】
（携帯型水素ガス供給容器）
携帯型水素ガス供給容器１は、放出部２と、放出部２に連結される容器本体３と、容器本体３の外面を被覆する被覆層４とを有する。携帯型水素ガス供給容器１は、例えば衣類のポケットに収納可能な程度のサイズに形成される。
【００２２】
〈容器本体〉
容器本体３は、例えばアルミ、ステンレス等の金属製である。容器本体３は、有底筒状の胴部３ａと、胴部３ａの開口側の端部から連続する筒状の縮径部３ｂと、縮径部３ｂから連続する筒状の口部３ｃとを有する。口部３ｃには、ネジ等によって放出部２が連結固定されている。
【００２３】
容器本体３の軸方向長さの下限としては、５ｃｍが好ましく、７ｃｍがより好ましい。一方、容器本体３の軸方向長さの上限としては、１５ｃｍが好ましく、９ｃｍがより好ましい。上記軸方向長さが上記下限より短いと、水素ガスの収容量が不十分となり、水素ガスの充填頻度が不要に多くなるおそれや、携帯型水素ガス供給容器１の取扱性が低下するおそれがある。逆に、上記軸方向長さが上記上限を超えると、携帯型水素ガス供給容器１を衣類のポケット等に収納し難くなり、携帯性が不十分となるおそれがある。
【００２４】
容器本体３の容積の下限としては、５ｃｍ３が好ましく、７ｃｍ３がより好ましい。一方、容器本体３の容積の上限としては、１５ｃｍ３が好ましく、１０ｃｍ３がより好ましい。上記容積が上記下限に満たないと、水素ガスの収容量が不十分となり、水素ガスの充填頻度が不要に多くなるおそれがある。逆に、上記容積が上記上限を超えると、携帯型水素ガス供給容器１のサイズが大きくなり、携帯性が不十分となるおそれがある。
【００２５】
容器本体３には水素ガスが収容される。より詳しくは、容器本体３には水素吸蔵合金が内蔵され、この水素吸蔵合金に吸蔵された水素ガスが収容されるか、又は圧縮水素ガスが収容される。
【００２６】
〈放出部〉
放出部２は、図２に示すように、蓋体２１と嵌合される第１連結部６を有するケーシング５と、基端側がケーシング５内に配設されると共に先端が露出する水素ガス放出ノズル７と、水素ガス放出ノズル７の基端側に当接する第１バルブ８とを有する。ケーシング５は、軸方向に貫通孔を有する筒状であり、この貫通孔に水素ガス放出ノズル５及び第１バルブ８が配設されている。ケーシング５及び水素ガス放出ノズル７は、いずれも金属等の剛性部材によって形成されている。水素ガス放出ノズル７は直管状である。水素ガス放出ノズル７の中心軸と容器本体３の中心軸とは一致する。また、放出部２は、水素ガス放出ノズル７及び第１バルブ８を水素ガス放出ノズル７の先端側に付勢する第１バネ部材９と、第１バネ部材９の基端側において口部３ｃ内に配設されるフィルター１０とを有する。第１バネ部材９及びフィルター１０は上記貫通孔に配設される。
【００２７】
放出部２は、水素ガス放出ノズル７及び第１バルブ８が第１バネ部材９によって付勢された状態では第１バルブ８によって水素ガス放出ノズル７内の空間と容器本体３内の空間とが遮断されている。一方、放出部２は、水素ガス放出ノズル７が基端側に押圧されると、水素ガス放出ノズル７と共に第１バルブ８が基端側に移動することで、水素ガス放出ノズル７内の空間と容器本体３内の空間とが連通するよう構成されている。水素ガス放出ノズル７の押込み可能距離は、構造上予め規定されていてもよい。水素ガス放出ノズル７の押込み可能距離が規定されることで、第１連結部６及び第２連結部２３の嵌合状態で、水素ガス放出ノズル７及び水素ガス吸引ノズル２４を互いに基端側に押し込みやすい。
【００２８】
フィルター１０は、複数の微細孔を有している。これらの微細孔の孔径は、水素吸蔵合金の粒径より小さく形成されている。これにより、携帯型水素ガス供給容器１は、容器本体３に水素吸蔵合金が内蔵される場合、この水素吸蔵合金の容器本体３外への流出を防止される。
【００２９】
第１連結部６は携帯型水素ガス供給容器１の軸方向の最先端に設けられている。第１連結部６は筒状であり、より詳しくは円筒状である。第１連結部６の外径は、ケーシング５の第１連結部６よりも基端側の外径よりも小さい。第１連結部６の中心軸は、水素ガス放出ノズル７及び容器本体３の中心軸と一致している。
【００３０】
第１連結部６の外周面には防滑用のＯリング１１が設けられている。具体的には、第１連結部６の外周面には、周方向に２つの凹部が形成されており、これらの凹部に一対のＯリング１１が嵌合されている。一対のＯリング１１の外面は、第１連結部６の外周面（凹部以外の外部に露出した外周面）よりも外面側に隆起している。一対のＯリング１１は、シリコーン等の合成樹脂製であり、適度な柔軟性を有している。なお、第１連結部６の外周面には雄ネジは形成されていない。
【００３１】
第１連結部６の内周面には雌ネジ１２が設けられている。
【００３２】
水素ガス放出ノズル７の先端は第１連結部６内、より詳しくは第１連結部６の内部空間、に突出している。つまり、水素ガス放出ノズル７の先端は、第１連結部６内に位置している。
【００３３】
（蓋体）
蓋体２１は、第１連結部６と嵌合される第２連結部２３を有するケーシング２２と、基端側がケーシング２２内に配設されると共に先端が露出する水素ガス吸引ノズル２４と、水素ガス吸引ノズル２４の基端側に当接する第２バルブ２５と、水素ガス吸引ノズル２４及び第２バルブ２５を水素ガス吸引ノズル２４の先端側に付勢する第２バネ部材２６とを有する。ケーシング２２は、軸方向に貫通孔を有する筒状であり、この貫通孔に水素ガス吸引ノズル２４、第２バルブ２５及び第２バネ部材２６が配設されている。ケーシング２２及び水素ガス吸引ノズル２４は、いずれも金属等の剛性部材によって形成されている。水素ガス吸引ノズル２４は直管状である。ケーシング２２の基端側（放出部２と連結される側と反対側）には、飲料容器Ｘの口部Ｘ１と嵌合される筒状の嵌合部２７が形成されている。嵌合部２７の内周面には、飲料容器Ｘの口部Ｘ１と螺合可能な雌ネジ２８が設けられている。水素ガス吸引ノズル２４の中心軸と嵌合部２７の中心軸とは一致している。
【００３４】
蓋体２１は、水素ガス吸引ノズル２４及び第２バルブ２５が第２バネ部材２６によって付勢された状態では第２バルブ２５によって水素ガス吸引ノズル２４内の空間と嵌合部２７の内部空間とが遮断されている。一方、蓋体２１は、水素ガス吸引ノズル２４が基端側に押圧されると、水素ガス吸引ノズル２４と共に第２バルブ２５が基端側に移動することで、水素ガス吸引ノズル２４内の空間と嵌合部２７の内部空間とが連通するよう構成されている。水素ガス吸引ノズル２４の押込み可能距離は、構造上予め規定されていてもよい。
【００３５】
第２連結部２３は蓋体２１の最先端に設けられている。第２連結部２３は第１連結部６に外嵌可能な筒状であり、より詳しくは内径が第１連結部６の外径（上述の凹部以外の部分の外径）と略同一な円筒状である。第２連結部２３の外径は、ケーシング２２の第２連結部２３よりも基端側の外径よりも小さい。第２連結部２３の中心軸は、水素ガス吸引ノズル２４及び嵌合部２７の中心軸と一致している。
【００３６】
水素ガス吸引ノズル２４の先端は第２連結部２３内、より詳しくは第２連結部２３の内部空間、に突出している。つまり、水素ガス吸引ノズル２４の先端は、第２連結部２３内に位置している。
【００３７】
（連結構造）
図５を参照して、放出部２及び蓋体２１の連結構造について説明する。当該水素ガス供給ユニットは、第１連結部６及び第２連結部２３の中心軸を一致させた状態で第１連結部６及び第２連結部２３を近接方向に移動させることで第２連結部２３を第１連結部６に外嵌することができる。換言すると、当該水素ガス供給ユニットは、第２連結部２３を第１連結部６に外嵌すると、第１連結部６及び第２連結部２３の中心軸が一致するよう構成されている。
【００３８】
当該水素ガス供給ユニットは、第１連結部６及び第２連結部２３の嵌合状態で、水素ガス放出ノズル７及び水素ガス吸引ノズル２４の先端同士が突き合わされ、水素ガス放出ノズル７及び水素ガス吸引ノズル２４が互いに基端側に押圧されることで携帯型水素ガス供給容器１及び飲料容器Ｘ（口部Ｘ１が嵌合部２７に嵌合された状態の飲料容器Ｘ）が連通し、水素ガスが飲料容器Ｘ内に注入される。
【００３９】
当該水素ガス供給ユニットは、第１連結部６の外周面に防滑用のＯリング１１が設けられているので、飲料容器Ｘ内に水素ガスを注入する際の第１連結部６及び第２連結部２３の嵌合状態を維持しやすい。つまり、水素ガスの放出によって第１連結部６及び第２連結部２３の嵌合を解除する方向に応力が働いた際にＯリング１１が抜け防止用のストッパーとして機能することで、第１連結部６及び第２連結部２３の抜けを防止することができ、これにより水素ガス漏れを抑制することができる。また、かかる構成によると、第１連結部６及び第２連結部２３の嵌合状態で、例えば作業者が第１連結部６及び第２連結部２３を互いの嵌合を解除する方向に引っ張ることで、第１連結部６及び第２連結部２３の嵌合を容易に解除することができる。その結果、当該水素ガス供給ユニットの使用性を高めることができると共に、水素ガスの過剰注入を抑制することができる。
【００４０】
（水素ガス充填用コネクタ）
水素ガス充填用コネクタ３１は、第１連結部６に嵌合される第３連結部３３を有するケーシング３２と、第１連結部６及び第３連結部３３の嵌合状態で水素ガス放出ノズル７と先端同士が突き合わされ、水素ガス放出ノズル７を押圧可能な水素ガス充填ノズル３４とを有する。ケーシング３２の基端側（放出部２と連結される側と反対側）には、水素ガス貯留タンクの水素ガス放出用チューブと接続可能な筒状の嵌合部３５が形成されている。水素ガス充填ノズル３４の基端側開口は嵌合部３５の内部空間に連通している。ケーシング３２及び水素ガス充填ノズル３４は、いずれも金属等の剛性部材によって形成されている。水素ガス充填ノズル３４は直管状である。水素ガス充填ノズル３４の中心軸と嵌合部３５の中心軸とは一致している。水素ガス充填用コネクタ３１は、第３連結部３３及び第１連結部６の嵌合状態で、水素ガス充填ノズル３４によって水素ガス放出ノズル７を基端側に押圧することで水素ガス貯留タンク内の水素ガスを水素ガス供給容器１内に充填可能に構成されている。
【００４１】
第３連結部３３は水素ガス充填用コネクタ３１の先端側に設けられている。第３連結部３３は第１連結部６に内嵌可能な筒状である。第３連結部３３の内部には水素ガス充填ノズル３４が貫通している。
【００４２】
当該水素ガス供給ユニットは、上述のように第１連結部６が筒状であり、第２連結部２３が第１連結部６に外嵌可能な筒状であり、第３連結部３３が第１連結部６に内嵌可能な筒状であることによって、携帯型水素ガス供給容器１と蓋部２１、及び携帯型水素ガス供給容器１と水素ガス充填用コネクタ３１とをそれぞれ独立した嵌合機構で容易かつ確実に嵌合することができる。
【００４３】
第３連結部３３の外周面には第１連結部６の内周面に形成される雌ネジ２３と螺合可能な雄ネジ３６が設けられている。当該水素ガス供給ユニットは、第１連結部６の内周面に雌ネジ２３が設けられ、第３連結部３３の外周面に雌ネジ２３と螺合可能な雄ネジ３６が設けられることによって、第１連結部６及び第３連結部３３を容易かつ確実に嵌合固定することができ、携帯型水素ガス供給容器１内に十分な量の水素ガスを容易かつ確実に充填することができる。
【００４４】
水素ガス充填ノズル３４の先端は第３連結部３３の先端側から突出している。また、当該水素ガス供給ユニットは、上述のように、水素ガス放出ノズル７の先端が第１連結部６内に突出し、水素ガス吸引ノズル２４の先端が第２連結部２３内に突出している。これにより、当該水素ガス供給ユニットは、第１連結部６と第２連結部２３との嵌合状態で上記水素ガス放出ノズル７及び水素ガス吸引ノズル２４の先端同士を容易かつ確実に突き合わせ、かつ第１連結部６と第３連結部３３との嵌合状態で水素ガス放出ノズル７及び水素ガス充填ノズル３４の先端同士を容易かつ確実に突き合わせることができる。その結果、当該水素ガス供給ユニットは、飲料容器Ｘ内への水素ガスの注入時、及び携帯型水素ガス供給容器１内への水素ガスの充填時における水素ガスの漏洩を容易かつ確実に抑制することができる。
【００４５】
＜利点＞
当該水素ガス供給ユニットは、内部に水素ガスが収容される携帯型水素ガス供給容器１と、飲料容器Ｘの口部Ｘ１に嵌合され、携帯型水素ガス供給容器１の放出部２と着脱自在に連結される蓋体２１とを備えるので、使用者が摂取直前に飲料中に水素ガスを注入することができる。そのため、当該水素ガス供給ユニットによると、製造から摂取までの間における水素ガスが脱気を抑えることができるので、摂取時における水素濃度の高い水素含有飲料を製造することができる。
【００４６】
当該水素ガス供給ユニットは、蓋体２１を飲料容器Ｘの口部Ｘ１に嵌合し、蓋体２１によって飲料容器Ｘを密閉したうえ、放出部２及び蓋体２１を直接連結することで携帯型水素ガス供給容器１内の水素ガスを飲料容器Ｘ内に注入するものであるため、ユニット全体の部品点数を少なくすることができ、小型化を図ることができると共に、水素水を容易かつ確実に製造することができる。
【００４７】
当該水素ガス供給ユニットは、水素ガス貯留タンクに貯留される水素ガスを携帯型水素ガス供給容器１に充填するための水素ガス充填用コネクタ３１を備えるので、携帯型水素ガス供給容器１内の水素ガスが不足した場合に、水素ガス充填用コネクタ３１を介して携帯型水素ガス供給容器１内に水素ガスを容易かつ確実に充填することができる。
【００４８】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００４９】
例えば第１連結部、第２連結部及び第３連結部の具体的構成は上述の実施形態の形状に限定されるものではない。また、上記水素ガス放出ノズル、水素ガス吸引ノズル及び水素ガス充填ノズルは先端が外面に露出している限り、必ずしも先端が突出している必要はない。
【００５０】
上記放出部は、必ずしも第１バネ部材を有しなくてもよい。上記携帯型水素ガス供給容器は、例えば容器本体内に圧縮水素ガスが収容される場合、容器本体の内圧が高くなるため、第１バルブを有しない場合でも水素ガス放出ノズルを先端側に付勢することが可能である。また、容器本体に水素吸蔵合金が内蔵されない場合、放出部は水素吸蔵合金の流出を防止するためのフィルターを有しなくてもよい。
【産業上の利用可能性】
【００５１】
以上のように、本発明に係る水素ガス供給ユニットは、摂取時における水素濃度の高い水素含有飲料を容易かつ確実に製造することができるので、携帯型の水素製造装置として好適に用いられる。
【符号の説明】
【００５２】
１  携帯型水素ガス供給容器
２  放出部
３  容器本体
３ａ  胴部
３ｂ  縮径部
３ｃ  口部
４  被覆層
５  ケーシング
６  第１連結部
７  水素ガス放出ノズル
８  第１バルブ
９  第１バネ部材
１０  フィルター
１１  Ｏリング
１２  雌ネジ
２１  蓋体
２２  ケーシング
２３  第２連結部
２４  水素ガス吸引ノズル
２５  第２バルブ
２６  第２バネ部材
２７  嵌合部
２８  雌ネジ
３１  水素ガス充填用コネクタ
３２  ケーシング
３３  第３連結部
３４  水素ガス充填ノズル
３５  嵌合部
３６  雄ネジ
Ｘ  飲料容器
Ｘ１  口部
【図１】
2019128006.tif 000003
【図２】
2019128006.tif 000004
【図３】
2019128006.tif 000005
【図４】
2019128006.tif 000006
【図５】
2019128006.tif 000007
【図６】
2019128006.tif 000008